【事件の表示】
　特許第３０５３０８２号「田植機の縦送り機構調節構造」の請求項１ないし４に係る特許に対する特許異議の申立てについて、次のとおり決定する。
【結　論】
　訂正を認める。
　特許第３０５３０８２号の請求項１ないし２に係る特許を取り消す。
　同請求項３に係る特許を維持する。
【理　由】
１．手続の経緯
　特許第３０５３０８２号の請求項１ないし請求項４に係る発明についての出願は、平成４年１２月３日に特許出願された特願平４−３２３５３６号の一部を分割して、平成１０年９月１６日に特許出願され、平成１２年４月７日にその特許の設定登録がなされ、その後、ヤンマー農機株式会社より特許異議の申立てがなされ、取消理由通知がなされ、その指定期間内である平成１３年７月２７日に訂正請求がなされたものである。
　２．訂正の適否
（１）訂正の内容
訂正事項ａ
 特許請求の範囲の記載を次のとおり訂正する。
「【請求項１】苗載せ台（６）の苗載せ面に沿って上下方向に配置された苗送りベルト（１６）により、前記苗載せ台（６）に載置された苗（Ｗ）を苗取り出し口（ａ）側に送る縦送り機構（８ａ）を備え、前記縦送り機構（８ａ）の下部に備えられた操作アーム（１７）と、前記操作アーム（１７）に接当して前記操作アーム（１７）を待機位置（Ｔ），（ｔ）から上側の送り位置（Ｓ）まで移動操作することにより前記縦送り機構（８ａ）を作動させる駆動部材（１９）と、前記操作アーム（１７）を前記待機位置（Ｔ），（ｔ）側に付勢する付勢部材（２３）とを備えると共に、前記操作アーム（１７）のアーム中間部にワイヤ（２１）のインナーワイヤ（２１Ｉ）を直接接続し、前記ワイヤ（２１）を前記操作アーム（１７）から前記上側の送り位置（Ｓ）側に延出して、前記ワイヤ（２１）のアウターワイヤ（２１Ｕ）における前記操作アーム（１７）側の端部を、前記苗送りベルト（１６）の上端よりも下側に配置された前記苗載せ台（６）の固定部（７）に取り付けて、前記ワイヤ（２１）のインナーワイヤ（２１Ｉ）を押し引き操作することにより、前記操作アーム（１７）の待機位置（Ｔ），（ｔ）を前記操作アーム（１７）の移動方向に沿って変更することにより、前記縦送り機構（８ａ）の苗送り量を変更するように構成してある田植機の縦送り機構調節構造。
【請求項２】苗載せ台（６）の苗載せ面に沿って上下方向に配置された苗送りベルト（１６）により、前記苗載せ台（６）に載置された苗（Ｗ）を苗取り出し口（ａ）側に送る縦送り機構（８ａ）を備え、前記縦送り機構（８ａ）の下部に備えられた操作アーム（１７）と、前記操作アーム（１７）に接当して前記操作アーム（１７）を待機位置（Ｔ），（ｔ）から上側の送り位置（Ｓ）まで移動操作することにより前記縦送り機構（８ａ）を作動させる駆動部材（１９）と、前記操作アーム（１７）を前記待機位置（Ｔ），（ｔ）側に付勢する付勢部材（２３）とを備えると共に、前記操作アーム（１７）のアーム中間部にワイヤ（２１）のインナーワイヤ（２１Ｉ）を直接接続し、前記ワイヤ（２１）を前記操作アーム（１７）から前記上側の送り位置（Ｓ）側に延出して、前記ワイヤ（２１）のインナーワイヤ（２１Ｉ）を苗取り量の調節レバー（２５）に接続し、前記ワイヤ（２１）のアウターワイヤ（２１Ｕ）における前記操作アーム（１７）側の端部を、前記苗送りベルト（１６）の上端よりも下側に配置された前記苗載せ台（６）の固定部（７）に取り付けて、前記苗取り量の調節レバー（２５）によって前記ワイヤ（２１）のインナーワイヤ（２１Ｉ）を押し引き操作することにより、前記操作アーム（１７）の待機位置（Ｔ），（ｔ）を前記操作アーム（１７）の移動方向に沿って変更することにより、前記縦送り機構（８ａ）の苗送り量を変更するように構成してある田植機の縦送り機構調節構造。
【請求項３】前記苗載せ台（６）の固定部（７）が、前記苗送りベルト（１６）の巻回経路を通して前記苗載せ台（６）の左右方向に亘り、前記苗載せ台（６）に取り付けられている補強部材（７）である請求項１又は２に記載の田植機の縦送り機構調節構造。」
訂正事項ｂ　　　
　特許明細書第５頁第２１行目（本件特許公報第５欄第４行目〜第５行目）、及び、第６頁第７行目（本件特許公報第５欄第２０行目〜第２１行目）の「操作アーム」を『操作アームのアーム中間部』と訂正する。
訂正事項ｃ
　特許明細書第５頁第２１行（本件特許公報第５欄第５行目）、及び、第６頁第７行目（本件特許公報第５欄第２１行目）の「連係」を『直接接続』と訂正する。
訂正事項ｄ
　特許明細書第６頁第１６行目〜第２０行目（本件特許公報第５欄第３２行目〜第３６行目）の「操作アームにワイヤのインナーワイヤを直接接続してある。
【０００９】［４］
前項［１］［２］［３］のうちいずれか一つの構成において、」を削除する。
　特許明細書第８頁第２５行目〜第２７行目（本件特許公報第７欄第１０行目〜第１３行目）の「請求項３の特徴によると、請求項１又は２の場合と同様に、前項［Ｉ］［ＩＩ］［ＩＩＩ］に記載の「作用」を備えており、これに加えて以下のような「作用」を備えている。」を削除する。
　特許明細書第１０頁第２６行目〜第２８行目（本件特許公報第８欄第３１行目〜第３４行目）の「請求項３の特徴によると、請求項１又は２の場合と同様に、前述の請求項１又は２の「発明の効果」を備えており、この「発明の効果」に加えて以下のような「発明の効果」を備えている。」を削除する。
訂正事項ｅ
　特許明細書第９頁第７行目（本件特許公報第７欄第２４行目）、特許明細書第９頁第１１行目（本件特許公報第７欄第２９行目）、特許明細書第１０頁第２９行目（本件特許公報第８欄第３４行目）、の「請求項３」を『請求項１及び２』に訂正する。
訂正事項ｆ
　特許明細書第９頁第１７行目（本件特許公報第７欄第３６行目）、特許明細書第９頁第２０行目（本件特許公報第７欄第３９行目）、特許明細書第９頁第２２行目（本件特許公報第７欄第４２行目）、特許明細書第９頁第２７行目（本件特許公報第７欄第４７行目）、特許明細書第１１頁第８行目（本件特許公報第８欄第４４行目）、特許明細書第１１頁第１１行目（本件特許公報第８楓第４７行目）、特許明細書第１１頁第１４行目（本件特許公報第９欄第１行目〜第２行目）、の「請求項４」を『請求項３』に訂正する。
訂正事項ｇ
　特許明細書第９頁第１７行目（本件特許公報第７欄第３６行目〜第３７行目）の「請求項１〜３のうちのいずれか一つの場合」を『請求項１又は２の場合』に訂正する。
　特許明細書第１１頁第８行目〜第９行目（本件特許公報第８欄第４４行目〜第４５行目）の「請求項１〜３のうちいずれか一つの場合と同様に請求項１〜３の」を『請求項１又は２の場合と同様に請求項１又は２』に訂正する。
訂正事項ｈ
　特許明細書第１１頁第１４行目〜第１５行目（本件特許公報第９欄第３行目）の「補強部材苗載せ台にを」を、『補強部材を苗載せ台に』に訂正する。
（２）訂正の目的の適否、新規事項の有無、及び特許請求の範囲の拡張・変更の存否
　訂正事項ａは、当初の特許明細書の請求項４を削除するとともに、請求項１および請求項２は、当初の特許明細書の請求項３を組み込むものであるから、特許請求の範囲の減縮することを目的とするものである。そして、訂正事項ａによる訂正は、願書に最初に添付された明細書および図面に記載した事項の範囲内でなされたものであり、新規事項の追加に該当せず、特許請求の範囲の実質上特許請求の範囲を拡張しまたは変更するものではない。訂正事項ｂ〜訂正事項ｈによる訂正は、訂正事項ａによる特許請求の範囲の訂正に伴い、それと発明の詳細な説明との整合を図るためのものであり、明りょうでない記載の釈明を目的とするものであるから、新規事項の追加に該当せず、特許請求の範囲の実質上特許請求の範囲を拡張しまたは変更するものではない。
（３）むすび
　よって、上記訂正は、特許法等の一部を改正する法律（平成６年法律第１１６号）附則第６条第１項の規定によりなお従前の例とされる、特許法第１２０条の４第３項において準用する平成６年法律第１１６号による改正前の特許法第１２６条第１項ただし書、第２項及び第３項の規定に適合するので、当該訂正を認める。
３．特許異議申立ての概要
　特許異議申立人ヤンマー農機株式会社は、甲第１号証（実公平４−３６５７９号公報）、甲第２号証の１（実開平３−９２９１７号公報）、甲第２号証の２（実開昭６１−４０８２４号公報）、甲第２号証の３（特開平２−２６５４０９号公報）および甲第３号証（実願平３−３５０６２号（実開平４−１２９７２７号）のマイクロフィルム）を提出し、請求項１ないし請求項４に係る発明は、甲第１号証ないし甲第３号証に記載された発明に基づいて当業者が容易に発明をすることができたものであり、請求項１ないし請求項４に係る発明の特許は、特許法第２９条第２項の規定に違反してなされたものであるから取り消すべき旨、主張している。
４．本件発明
　本件特許第３０５３０８２号の請求項１ないし３に係る発明（以下、「本件発明１ないし３」という。）は、訂正明細書の特許請求の範囲の請求項１ないし３に記載された事項により特定されるとおりのものである（上記、２．（１）訂正の内容参照。）。
５．引用刊行物
  当審が通知した取消しの理由に引用された刊行物１（実公平４−３６５７９号公報、甲第１号証）には、「苗載台３の苗取出し口寄り側裏面にはローラ６，７がブラケット６′，７′に支持されたシャフト６ａ，７ａを介して回転自在に軸支され、該ローラ６，７間には苗繰出し用の突起付ベルト８が捲回されており、一方のローラ６にはラチェットホイール９が一体的に設けられている。・・・上記シャフト６ａにはラチェットホイール９の歯に係合するラチェット爪１０ａを有するＴ型状の作動金具１０が回動可能に装着され、該作動金具１０と後述の作動体とは、・・・融通機構（長孔）１１ａを有する・・・連繋部材１１を介して連繋されている。即ち、該作動金具１０は融通機構（長孔）１１ａを有する連繋部材１１の一端と・・・ピン１１ｂを介して連結されていて、」（第２頁第３欄３３行〜同頁第４欄８行）と記載され、「１６・・・は戻しスプリング、・・・２０は苗載台３の裏面側にブラケット２１及び苗載台３の全巾にわたって一体の支点ピン２２を介して揺動自在に吊設された作動体で、該作動体２０の長手方向中途部に突設したピン２０ａは上記長孔１１ａに遊嵌しており、また作動体２０の揺動先端部に軸支したローラ２３は・・・駆動体２４の回転軌跡ａ内に臨んだ関係位置にある。・・・駆動体２４がローラに当ってローラ２３を駆動体２４の軌跡外まで押上げるため作動体２０が支点ピン２２を中心にして第２図における実線図示の状態から仮想線図示の状態に回動変位し、・・・ローラ６の回動により突起付ベルト８が矢印ハ方向に回動移動して苗載台３上のマット苗を苗取出し口側に所定ピッチ繰出すようになっていて、これらにより苗繰出機構Ｂが構成されている。」（第２頁第３欄３１行〜第３頁第５欄１２行）と記載され、「
更に本実施例では作動体２０とＴ型状作動金具１０とが別体のものであるが、作動体２０がなく、Ｔ型状作動金具１０のみを有する従来タイプのものにワイヤ２９を直接連結してもよい。
　上記記載事項及び図面からみて、作動体２０に代えてＴ型状作動金具１０にワイヤ２９を直接連結した場合において、引用刊行物１には、苗載台３の苗載せ面に沿って上下方向に配置された突起付ベルト８により、前記苗載台３に載置された苗を苗取出し口側に送る苗繰出機構Ｂを備え、前記苗繰出機構Ｂの下部に設けられたＴ型状作動金具１０と、前記Ｔ型状作動金具１０に接当して前記Ｔ型状作動金具１０を待機位置から上側の送り位置まで移動操作することにより前記苗繰出機構Ｂを作動させる駆動体２４と、前記Ｔ型状作動金具１０を前記待機位置側に付勢する戻しスプリング１６と、前記Ｔ型状作動金具１０にワイヤ２９を直接接続し、前記ワイヤ２９を前記Ｔ型状作動金具１０から前記上側の送り位置側に延出して、前記ワイヤ２９の前記Ｔ型状作動金具１０側の端部を、前記突起付ベルト８の上端よりも上側に配置された前記苗載台３のアウタ止めプレート３５に取り付けて、前記ワイヤをレバー２７に接続し、前記レバーによって前記ワイヤ２９を押し引き操作することにより、前記Ｔ型状作動金具１０の待機位置を前記Ｔ型状作動金具１０の移動方向に沿って変更することにより、前記苗繰出機構Ｂの苗送り量を変更する田植機の苗繰出機構調節構造（以下、「引用刊行物１の発明」という。）が記載されているものと認められる。
　同じく引用された刊行物２（甲第２号証の１）、刊行物３（甲第２号証の２）には、その記載事項および図面によると「ワイヤのアウターワイヤの端部を、苗送りベルトの上端よりも下側に配置された苗載台の固定部に取り付ける」構成が記載されているものと認める。
　同じく引用された刊行物４（特開平２−２６５４０号公報、甲第２号証の３）には、「符号４５は・・・」その記載事項及び図面によると、「ワイヤ３７を前記駆動レバー２４から上側に延出して、
前記ワイヤ３７の前記駆動レバー２４側の端部を、前記搬送ベルト１７の上端よりも下側に配置された前記苗載台１０のプレートに取り付けて
　同じく引用された刊行物５（甲第３号証）には、「１１９は苗載台４２の裏面位置の中部に、横方向に掛け渡し状に固定する補強板である。」（第１０頁６行〜同頁７行）と記載されている。
６．対比・判断
ア．本件発明１の特許について
　本件発明１と引用刊行物１記載の発明とを対比すると、引用刊行物１の発明の「苗載台３」、「突起付ベルト８」、「苗繰出機構Ｂ」、「Ｔ型状作動金具１０」、「駆動体２４」、「戻しスプリング１６」、「ワイヤ２９」及び「アウタ止めプレート３５」が、本件発明１の「苗載台（６）」、「苗送りベルト（１６）」、「縦送り機構（８ａ）」、「操作アーム（１７）」、「駆動部材（１９）」、「付勢部材（２３）」、「ワイヤ（２１）のインナーワイヤ（２１Ｉ）およびワイヤ（２１）のアウターワイヤ（２１Ｕ）」及び「固定部（７）」にそれぞれ相当しているので、
　両者は、「苗載せ台の苗載せ面に沿って上下方向に配置された苗送りベルトにより、前記苗載せ台に載置された苗を苗取り出し口側に送る縦送り機構を備え、前記縦送り機構の下部に備えられた操作アームと、前記操作アームに接当して前記操作アームを待機位置から上側の送り位置まで移動操作することにより前記縦送り機構を作動させる駆動部材と、前記操作アームを前記待機位置側に付勢する付勢部材とを備えると共に、前記操作アームにワイヤを接続し、前記ワイヤを前記操作アームから前記上側の送り位置側に延出して、前記ワイヤにおける前記操作アーム側の端部を、前記苗載せ台の固定部に取り付けて、前記ワイヤを押し引き操作することにより、前記操作アームの待機位置を前記操作アームの移動方向に沿って変更することにより、前記縦送り機構の苗送り量を変更するように構成してある田植機の縦送り機構調節構造」で一致し、
（１）
Ａ．本件発明１では、「操作アーム（１７）の中間部にワイヤ（２１）のインアーワイヤ（２１Ｕ）を直接接続し」ているのに対し、引用例１記載の発明では、その構成が不明である点。　
Ｂ．本件発明１が、「ワイヤ（２１）のアウターワイヤ（２１Ｕ）における前記操作アーム（１７）側の端部を、前記苗送りベルト（１６）の上端よりも下側に配置された前記苗載せ台（６）の固定部（７）に取り付けて」いるのに対し、引用刊行物１記載の発明は、「ワイヤにおける操作アーム側端部を、苗載せ台の固定部に取り付けている」点で構成が相違する。
（２）
　まず、上記相違点Ａについて検討すると、引用例１記載の発明は、作動体２０がなく、Ｔ型状作動金具１０を駆動体２４によって作動させるものであるから、駆動体２４によるＴ型状作動金具１０の作動に不都合が生じないように、Ｔ型状作動金具１０の中間部にワイヤ２９のインナーワイヤを直接接続することは当業者なら容易にできることである。
　次に、上記相違点Ｂについて検討すると、
　上記引用刊行物４の記載からみて、刊行物４の「駆動レバー２４」、「搬送ベルト１７」、「苗載せ台１０」及び「プレート」は、本件発明１の「操作アーム（１７）」、「苗送りベルト（１６）」、「苗載せ台（６）」及び「固定部（７）」に相当するので、刊行物４には、「ワイヤの操作アーム側の端部を、苗送りベルトの上端よりも下側に配置された苗載せ台の固定部に取り付けて」の構成が記載されているといえるから、引用刊行物１記載の発明に刊行物４記載の発明を適用するすることにより、本件発明１の「ワイヤ（２１）のアウターワイヤ（２１Ｕ）における前記操作アーム（１７）側の端部を、前記苗送りベルト（１６）の上端よりも下側に配置された前記苗載せ台（６）の固定部（７）に取り付けて」の構成は、当業者において容易に想到することができるものである。
　そして、本件発明１の奏する効果は、上記引用刊行物１および４に記載された発明から予測できるものであって格別顕著なものではない。
　したがって、本件発明１は、引用刊行物１及び引用刊行物４に記載された発明に基づいて当業者が容易に発明をすることができたものであるから、本件発明１の特許は、特許法第２９条第２項の規定に違反してされたものである。
イ．本件発明２の特許について
  本件発明２と引用刊行物１記載の発明とを対比すると、引用刊行物１の発明の「苗載台３」、「突起付ベルト８」、「苗繰出機構Ｂ」、「Ｔ型状作動金具１０」、「駆動体２４」、「戻しスプリング１６」、「ワイヤ２９」、「レバー２７」及び「アウタ止めプレート３５」が、本件発明１の「苗載台（６）」、「苗送りベルト（１６）」、「縦送り機構（８ａ）」、「操作アーム（１７）」、「駆動部材（１９）、「付勢部材（２３）」、「ワイヤ（２１）のインナーワイヤ（２１Ｉ）およびワイヤ（２１）のアウターワイヤ（２１Ｕ）」、「苗取り調節レバー（２５）」及び「固定部（７）」にそれぞれ相当しているので、
　両者は、苗載せ台の苗載せ面に沿って上下方向に配置された苗送りベルトにより、前記苗載せ台に載置された苗を苗取り出し口側に送る縦送り機構を備え、前記縦送り機構の下部に備えられた操作アームと、前記操作アームに接当して前記操作アームを待機位置から上側の送り位置まで移動操作することにより前記縦送り機構を作動させる駆動部材と、前記操作アームを前記待機位置側に付勢する付勢部材とを備えると共に、前記操作アームにワイヤを接続し、前記ワイヤを前記操作アームから前記上側の送り位置側に延出して、前記ワイヤのインナーワイヤを苗取り調節レバーに接続し、前記ワイヤにおける前記操作アーム側の端部を、前記苗載せ台の固定部に取り付けて、前記苗取り調節レバーによって前記ワイヤを押し引き操作することにより、前記操作アームの待機位置を前記操作アームの移動方向に沿って変更することにより、前記縦送り機構の苗送り量を変更するように構成してある田植機の縦送り機構調節構造 」で一致し、
（１）
Ａ．本件発明２では、「操作アーム（１７）の中間部にワイヤ（２１）のインアーワイヤ（２１Ｕ）を直接接続し」ているのに対し、引用例１記載の発明では、その構成が不明である点。
Ｂ． 本件発明２が、「ワイヤ（２１）のアウターワイヤ（２１Ｕ）における前記操作アーム（１７）側の端部を、前記苗送りベルト（１６）の上端よりも下側に配置された前記苗載せ台（６）の固定部（７）に取り付けて」いるのに対し、引用刊行物１記載の発明は、「ワイヤにおける操作アーム側端部を、苗載せ台の固定部に取り付けている」点で構成が相違する。
（２）
　まず、上記相違点Ａについて検討すると、引用例１記載の発明は、作動体２０がなく、Ｔ型状作動金具１０を駆動体２４によって作動させるものであるから、駆動体２４によるＴ型状作動金具１０の作動に不都合が生じないように、Ｔ型状作動金具１０の中間部にワイヤ２９のインナーワイヤを直接接続することは当業者なら容易にできることである。
　次に、上記相違点Ｂについて検討すると、
　上記引用刊行物４の記載からみて、引用刊行物４の「駆動レバー２４」、「搬送ベルト１７」、「苗載せ台１０」及び「プレート」は、本件発明１の「操作アーム（１７）」、「苗送りベルト（１６）」、「苗載せ台（６）」及び「固定部（７）」に相当するので、刊行物４には、「ワイヤの操作アーム側の端部を、苗送りベルトの上端よりも下側に配置された苗載せ台の固定部に取り付けて」の構成が記載されているといえるから、引用刊行物１記載の発明に刊行物４記載の発明を適用するすることにより、本件発明２の「ワイヤ（２１）のアウターワイヤ（２１Ｕ）における前記操作アーム（１７）側の端部を、前記苗送りベルト（１６）の上端よりも下側に配置された前記苗載せ台（６）の固定部（７）に取り付けて」の構成は、当業者において容易に想到することができるものである。
　そして、本件発明２の奏する効果は、上記引用刊行物１および４に記載された発明から予測できるものであって格別顕著なものではない。
　したがって、本件発明２は、引用刊行物１及び引用刊行物４に記載された発明に基づいて当業者が容易に発明をすることができたものであるから、本件発明１の特許は、特許法第２９条第２項の規定に違反してされたものである。
ウ．本件発明３の特許について
　本件発明３と引用刊行物１〜５（甲第１号証、甲第２号証の１、甲第２号証の２、甲第２号証の３および甲第３号証）に記載された発明とを対比すると、引用刊行物１〜５のいずれにも、本件発明３の「苗載せ台（６）の固定部（７）が、前記苗送りベルト（１６）の巻回経路を通して前記苗載せ台（６）の左右方向に亘り、前記苗載せ台（６）に取り付けられている補強部材（７）」の構成が記載または示唆されておらず、そして、前記構成を備える本願発明は、特許明細書記載の効果を奏するものである。
　したがって、本件発明３は、引用刊行物１〜５に記載された発明から容易に発明をすることができたものではないので、本件発明３の特許は、特許法第２９条第２項の規定に違反してなされたものではない。
７．むすび
  以上のとおりであるから、本件発明１及び本件発明２は、特許法第２９条第２項の規定により特許をうけることができない。
　したがって、本件発明１及び本件発明２についての特許は拒絶の査定をしなければならない特許出願に対してされたものと認める。
　本件発明３についての特許は、特許異議の申立ての理由によっては取り消すことはできない。
　また、他に本件発明３についての特許を取り消すべき理由を発見しない。
　したがって、本件発明３についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定におり、結論のとおり決定する。
【異議決定日】
平成１３年９月２０日（２００１．９．２０）
【訂正の要旨】
訂正の要旨
訂正事項ａ
　特許請求の範囲「【請求項１】ないし【請求項４】」の記載を、特許請求の範囲の減縮を目的として次のとおり訂正する。
「【請求項１】苗載せ台（６）の苗載せ面に沿って上下方向に配置された苗送りベルト（１６）により、前記苗載せ台（６）に載置された苗（Ｗ）を苗取り出し口（ａ）側に送る縦送り機構（８ａ）を備え、前記縦送り機構（８ａ）の下部に備えられた操作アーム（１７）と、前記操作アーム（１７）に接当して前記操作アーム（１７）を待機位置（Ｔ），（ｔ）から上側の送り位置（Ｓ）まで移動操作することにより前記縦送り機構（８ａ）を作動させる駆動部材（１９）と、前記操作アーム（１７）を前記待機位置（Ｔ），（ｔ）側に付勢する付勢部材（２３）とを備えると共に、前記操作アーム（１７）のアーム中間部にワイヤ（２１）のインナーワイヤ（２１Ｉ）を直接接続し、前記ワイヤ（２１）を前記操作アーム（１７）から前記上側の送り位置（Ｓ）側に延出して、前記ワイヤ（２１）のアウターワイヤ（２１Ｕ）における前記操作アーム（１７）側の端部を、前記苗送りベルト（１６）の上端よりも下側に配置された前記苗載せ台（６）の固定部（７）に取り付けて、前記ワイヤ（２１）のインナーワイヤ（２１Ｉ）を押し引き操作することにより、前記操作アーム（１７）の待機位置（Ｔ），（ｔ）を前記操作アーム（１７）の移動方向に沿って変更することにより、前記縦送り機構（８ａ）の苗送り量を変更するように構成してある田植機の縦送り機構調節構造。
　【請求項２】苗載せ台（６）の苗載せ面に沿って上下方向に配置された苗送りベルト（１６）により、前記苗載せ台（６）に載置された苗（Ｗ）を苗取り出し口（ａ）側に送る縦送り機構（８ａ）を備え、前記縦送り機構（８ａ）の下部に備えられた操作アーム（１７）と、前記操作アーム（１７）に接当して前記操作アーム（１７）を待機位置（Ｔ），（ｔ）から上側の送り位置（Ｓ）まで移動操作することにより前記縦送り機構（８ａ）を作動させる駆動部材（１９）と、前記操作アーム（１７）を前記待機位置（Ｔ），（ｔ）側に付勢する付勢部材（２３）とを備えると共に、前記操作アーム（１７）のアーム中間部にワイヤ（２１）のインナーワイヤ（２１Ｉ）を直接接続し、前記ワイヤ（２１）を前記操作アーム（１７）から前記上側の送り位置（Ｓ）側に延出して、前記ワイヤ（２１）のインナーワイヤ（２１Ｉ）を苗取り量の調節レバー（２５）に接続し、前記ワイヤ（２１）のアウターワイヤ（２１Ｕ）における前記操作アーム（１７）側の端部を、前記苗送りベルト（１６）の上端よりも下側に配置された前記苗載せ台（６）の固定部（７）に取り付けて、前記苗取り量の調節レバー（２５）によって前記ワイヤ（２１）のインナーワイヤ（２１Ｉ）を押し引き操作することにより、前記操作アーム（１７）の待機位置（Ｔ），（ｔ）を前記操作アーム（１７）の移動方向に沿って変更することにより、前記縦送り機構（８ａ）の苗送り量を変更するように構成してある田植機の縦送り機構調節構造。
　【請求項３】前記苗載せ台（６）の固定部（７）が、前記苗送りベルト（１６）の巻回経路を通して前記苗載せ台（６）の左右方向に亘り、前記苗載せ台（６）に取り付けられている補強部材（７）である請求項１又は２に記載の田植機の縦送り機構調節構造。」
　明りょうでない記載の釈明を目的として、以下の訂正事項ｂ〜訂正事項ｈのとおり訂正する。
訂正事項ｂ
特許明細書第５頁第２１行目（本件特許公報第５欄第４行目〜第５行目）、及び、第６頁第７行目（本件特許公報第５欄２０行第２１行）の「操作アーム」を『操作アームのアーム中間部』と訂正する。
訂正事項ｃ
特許明細書第５頁第２１行（本件特許公報第５欄第５行目）、及び、第６頁第７行目（本件特許公報第５欄第２１行目）の「連係」を『直接接続』と訂正する。
訂正事項ｄ
特許明細書第６頁第１６行目〜第２０行目（本件特許公報第５欄第３２行目〜第３６行目）の「操作アームにワイヤのインナーワイヤを直接接続してある。
　【０００９】［４］前項［１］［２］［３］のうちいずれか一つの構成において、」を削除する。
特許明細書第８頁第２５行目〜第２７行目（本件特許公報第７欄第１０行目〜第１３行目）の「請求項３の特徴によると、請求項１又は２の場合と同様に、前項［Ｉ］［ＩＩ］［ＩＩＩ］に記載の「作用」を備えており、これに加えて以下のような「作用」を備えている。」を削除する。
特許明細書第１０頁第２６行目〜第２８行目（本件特許公報第８欄第３１行目〜第３４行目）の「請求項３の特徴によると、請求項１又は２の場合と同様に、前述の請求項１又は２の「発明の効果」を備えており、この「発明の効果」に加えて以下のような「発明の効果」を備えている。」を削除する。
訂正事項ｅ
特許明細書第９頁第７行目（本件特許公報第７欄第２４行目）、特許明細書第９頁第１１行目（本件特許公報第７欄第２９行目）、特許明細書第１０頁第２９行目（本件特許公報第８欄第３４行目）、の「請求項３」を『請求項１及び２』に訂正する。
訂正事項ｆ
特許明細書第９頁第１７行目（本件特許公報第７欄第２４行目）、特許明細書第９頁第２０行目（本件特許公報第７欄第３９行目）、特許明細書第９頁第２２行目（本件特許公報第７欄第４２行目）、特許明細書第９頁第２７行目（本件特許公報第７欄第４７行目）、特許明細書第１１頁第８行目（本件特許公報第８欄第４４行目）、特許明細書第１１頁第１１行目（本件特許公報第８欄第４７行目）、特許明細書第１１頁第１４行目（本件特許公報第９欄第１行目〜第２行目）、の「請求項４」を『請求項３』に訂正する。
訂正事項ｇ
特許明細書第９頁第１７行目（本件特許公報第７欄第３６行目〜第３７行目）の「請求項１〜３のうちのいずれか一つの場合」を『請求項１又は２の場合』に訂正する。
特許明細書第１１頁第８行目〜第９行目（本件特許公報第８欄第４４行目〜第４５行目）の「請求項１〜３のうちいずれか一つの場合と同様に請求項１〜３の」を『請求項１又は２の場合と同様に請求項１又は２』に訂正する。
訂正事項ｈ
特許明細書第１１頁第１４行目〜第１５行目（本件特許公報第９欄第３行目）の「補強部材苗載せ台にを」を、『補強部材を苗載せ台に』に訂正する。
（５４）【発明の名称】
田植機の縦送り機構調節構造
（５７）【特許請求の範囲】
　【請求項１】　苗載せ台（６）の苗載せ面に沿って上下方向に配置された苗送りベルト（１６）により、前記苗載せ台（６）に載置された苗（Ｗ）を苗取り出し口（ａ）側に送る縦送り機構（８ａ）を備え、
　前記縦送り機構（８ａ）の下部に備えられた操作アーム（１７）と、前記操作アーム（１７）に接当して前記操作アーム（１７）を待機位置（Ｔ），（ｔ）から上側の送り位置（Ｓ）まで移動操作することにより前記縦送り機構（８ａ）を作動させる駆動部材（１９）と、前記操作アーム（１７）を前記待機位置（Ｔ），（ｔ）側に付勢する付勢部材（２３）とを備えると共に、
　前記操作アーム（１７）
のアーム中間部
直接接続
　前記ワイヤ（２１）のインナーワイヤ（２１Ｉ）を押し引き操作することにより、前記操作アーム（１７）の待機位置（Ｔ），（ｔ）を前記操作アーム（１７）の移動方向に沿って変更することにより、前記縦送り機構（８ａ）の苗送り量を変更するように構成してある田植機の縦送り機構調節構造。
　【請求項２】　苗載せ台（６）の苗載せ面に沿って上下方向に配置された苗送りベルト（１６）により、前記苗載せ台（６）に載置された苗（Ｗ）を苗取り出し口（ａ）側に送る縦送り機構（８ａ）を備え、
　前記縦送り機構（８ａ）の下部に備えられた操作アーム（１７）と、前記操作アーム（１７）に接当して前記操作アーム（１７）を待機位置（Ｔ），（ｔ）から上側の送り位置（Ｓ）まで移動操作することにより前記縦送り機構（８ａ）を作動させる駆動部材（１９）と、前記操作アーム（１７）を前記待機位置（Ｔ），（ｔ）側に付勢する付勢部材（２３）とを備えると共に、
　前記操作アーム（１７）
のアーム中間部
直接接続
　前記苗取り量の調節レバー（２５）によって前記ワイヤ（２１）のインナーワイヤ（２１Ｉ）を押し引き操作することにより、前記操作アーム（１７）の待機位置（Ｔ），（ｔ）を前記操作アーム（１７）の移動方向に沿って変更することにより、前記縦送り機構（８ａ）の苗送り量を変更するように構成してある田植機の縦送り機構調節構造。
　【請求項３】　前記苗載せ台（６）の固定部（７）が、前記苗送りベルト（１６）の巻回経路を通して前記苗載せ台（６）の左右方向に亘り、前記苗載せ台（６）に取り付けられている補強部材（７）である
請求項１又は２に記載
【発明の詳細な説明】
　【０００１】
　【産業上の利用分野】
　本発明は、苗載せ台の苗載せ面に沿って上下方向に配置された苗送りベルトにより、苗載せ台に載置された苗を苗取り出し口側に送る縦送り機構を備えた田植機において、縦送り機構の苗送り量を変更する縦送り機構調節構造に関する。
　【０００２】
　【従来の技術】
　田植機では、苗植付機構が苗取り出し口を通過して苗を取り出し田面に植え付けるように構成されており、苗植付機構による苗の植え付けに伴って、苗載せ台に載置された苗が縦送り機構により苗取り出し口側に送られるように構成されている。
　このような田植機では一般に、苗植付機構の苗取り量が変更できるように構成されているので、苗植付機構の苗取り量が変更されると、これに合わせて縦送り機構の苗送り量も変更して、苗植付機構の苗取り量の変更に関係なく、苗載せ台に載置された苗が縦送り機構により苗取り出し口側に過不足なく送られるようにする必要がある。
　【０００３】
　前述のような縦送り機構の苗送り量を変更する構造の一例が、実公平４−３６５７９号公報に開示されている。この構造では、苗送りベルト（前記公報の第２図中の８）を備えた縦送り機構において、縦送り機構の下部に備えられた操作アーム（前記公報の第２図中の１０）を、駆動部材（前記公報の第２図中の２４）により、連係部材（前記公報の第２図中の２３，１１）を介して、待機位置から上側の送り位置まで移動操作することにより、縦送り機構を作動させるように構成されている。
　【０００４】
　この場合、連係部材（前記公報の第２図中の２３）にワイヤ（前記公報の第２図中の２９）を接続して、ワイヤにより連係部材（操作アーム）の待機位置を連係部材（操作アーム）の移動方向に沿って変更することにより、縦送り機構の苗送り量を変更するように構成している。
　従って、縦送り機構の連係部材（操作アーム）の待機位置を、上側の送り位置に接近させると（前記公報の第２図の紙面上方）、駆動部材により連係部材（操作アーム）が待機位置から上側の送り位置に移動操作される際のストロークが小さくなって、縦送り機構の苗送り量が小さくなる。逆に、連係部材（操作アーム）の待機位置を上側の送り位置から離間させると（前記公報の第２図の紙面下方）、駆動部材により連係部材（操作アーム）が待機位置から上側の送り位置に移動操作される際のストロークが大きくなって、縦送り機構の苗送り量が大きくなる。
　【０００５】
　【発明が解決しようとする課題】
　縦送り機構において、駆動部材により縦送り機構の操作アームを待機位置から上側の送り位置に移動操作する場合、前述のように駆動部材と操作アームとの間に連係部材を介在させると、駆動部材と連係部材との間や連係部材と操作アームとの間に、機械的な誤差が発生したり、泥等が挟み込まれたりすることがある。このように機械的な誤差や泥等の挟み込みが発生すると、操作アームが所望のストロークで精度良く待機位置から上側の送り位置に移動操作されなくなるおそれがあり、縦送り機構により苗が苗取り出し口側に精度良く送られなくなるおそれがある。
　本発明は田植機の縦送り機構調節構造において、縦送り機構により苗が苗取り出し口側に精度良く送られるように構成することを目的としている。
　【０００６】
　【課題を解決するための手段】
　本発明の特徴は以上のような田植機の縦送り機構調節構造において、次のように構成することにある。
［１］
　苗載せ台の苗載せ面に沿って上下方向に配置された苗送りベルトにより、苗載せ台に載置された苗を苗取り出し口側に送る縦送り機構を備え、
　縦送り機構の下部に備えられた操作アームと、操作アームに接当して操作アームを待機位置から上側の送り位置まで移動操作することにより縦送り機構を作動させる駆動部材と、操作アームを待機位置側に付勢する付勢部材とを備えると共に、
　操作アーム
のアーム中間部
直接接続
　ワイヤのインナーワイヤを押し引き操作することにより、操作アームの待機位置を操作アームの移動方向に沿って変更することにより、縦送り機構の苗送り量を変更するように構成してある。
　【０００７】
［２］
　苗載せ台の苗載せ面に沿って上下方向に配置された苗送りベルトにより、苗載せ台に載置された苗を苗取り出し口側に送る縦送り機構を備え、
　縦送り機構の下部に備えられた操作アームと、操作アームに接当して操作アームを待機位置から上側の送り位置まで移動操作することにより縦送り機構を作動させる駆動部材と、操作アームを待機位置側に付勢する付勢部材とを備えると共に、
　操作アーム
のアーム中間部に
直接接続
　苗取り量の調節レバーによってワイヤのインナーワイヤを押し引き操作することにより、操作アームの待機位置を操作アームの移動方向に沿って変更することにより、縦送り機構の苗送り量を変更するように構成してある。
　【０００８】
［３］
　前項［１］又は［２］の構成に
おいて、苗
　【０００９】
　【作用】
［１］
　請求項１及び２の特徴によると、縦送り機構の操作アームに駆動部材が直接に接当し、駆動部材により操作アームが待機位置から上側の送り位置に移動操作されて、縦送り機構が作動するのであり、請求項１及び２の特徴では、「従来の技術」において備えられていた駆動部材と操作アームとの間に介在する連係部材を備えていない。
　【００１０】
　このように請求項１及び２の特徴では、連係部材を介在させずに縦送り機構の操作アームを駆動部材により直接に移動操作するように構成しているので、駆動部材と連係部材との間や連係部材と操作アームとの間に、機械的な誤差が発生したり、泥等が挟み込まれたりすると言うような状態が生じることはなく、駆動部材により操作アームが、所望のストロークで精度良く待機位置から上側の送り位置に移動操作される。
　さらに請求項１及び２の特徴によると、「従来の技術」において備えられていた駆動部材と操作アームとの間に介在する連係部材が不要になるので、連係部材の分だけ部品点数を減らすことができる。
　【００１１】
［ＩＩ］
　請求項１及び２の特徴によると、縦送り機構の下部に備えられた操作アームにワイヤのインナーワイヤを連係して、ワイヤを上側の送り位置側に延出し、操作アームを待機位置側に付勢する付勢部材を備えているので、ワイヤのインナーワイヤ及び付勢部材により操作アームの待機位置が決まる。
　これによって、請求項１及び２の特徴によると、ワイヤのインナーワイヤを引き操作して（苗取り量の調節レバーによってワイヤのインナーワイヤを引き操作して）、操作アームの待機位置を操作アームの移動方向に沿って上側の送り位置に接近させれば、駆動部材により操作アームが待機位置から上側の送り位置に移動操作される際のストロークが小さくなって、縦送り機構の苗送り量が小さくなる。
　逆に、ワイヤのインナーワイヤを押し操作して（苗取り量の調節レバーによってワイヤのインナーワイヤを押し操作して）、操作アームの待機位置を操作アームの移動方向に沿って上側の送り位置から離間させれば、駆動部材により操作アームが待機位置から上側の送り位置に移動操作される際のストロークが大きくなって、縦送り機構の苗送り量が大きくなる。
　【００１２】
［ＩＩＩ］
　請求項１及び２の特徴によると、前項［ＩＩ］に記載のように、縦送り機構の下部に備えられた操作アームに、ワイヤのインナーワイヤを連係した状態において、ワイヤのアウターワイヤにおける操作アーム側の端部を、苗送りベルトの上端よりも下側に配置している。従って、ワイヤのアウターワイヤにおける操作アーム側の端部が操作アームに接近することになり、ワイヤのアウターワイヤから操作アーム側に出ているインナーワイヤの長さが短いものとなる。
　【００１３】
　ワイヤのインナーワイヤ及び付勢部材により操作アームの待機位置が決まる構成において、ワイヤのインナーワイヤの出ている長さが、長いものになっていると、結果的にワイヤの全体の長さが長いものになってしまう。この場合、ワイヤのインナーワイヤは比較的伸び易いので、前述のようにワイヤのインナーワイヤの出ている長さが長いものになっていると、ワイヤのインナーワイヤが伸びた際に、ワイヤのインナーワイヤの伸び量が大きなものとなってしまって、操作アームの待機位置が精度良く設定されない状態の生じるおそれがある。
　【００１４】
　請求項１及び２の特徴によると、前述のように比較的伸び易いワイヤのインナーワイヤの出ている長さを短いものとして、結果的にその分だけワイヤの全体の長さを短いものにすることができるので、ワイヤのインナーワイヤが伸びた際、ワイヤのインナーワイヤの全体としての伸び量を小さなものに抑えることができて、ワイヤのインナーワイヤ及び付勢部材によって、操作アームの待機位置を精度良く設定することができる。
　【００１５】
［ＩＶ］
　
「従来の技術
　【００１６】
　請求項
１及び２
　これにより、請求項
１及び２
　【００１７】
［Ｖ］
　請求項
３
１又は２の場合と
　請求項
３
３
　【００１８】
　請求項
３
　苗送りベルトの巻回経路を通して補強部材を配置していると、苗送りベルトの上端よりも下側に補強部材が位置することになるので、前項［ＩＩＩ］に記載のようなワイヤのアウターワイヤにおける操作アーム側の端部を、苗送りベルトの上端よりも下側に位置させる状態が容易に得られる。
　【００１９】
　【発明の効果】
　請求項１及び２の特徴によると、田植機の縦送り機構調節構造において連係部材を介在させずに、縦送り機構の操作アームを駆動部材により直接に移動操作するように構成することによって、駆動部材により操作アームが所望のストロークで精度良く待機位置から上側の送り位置に移動操作され、縦送り機構により苗が苗取り出し口側に精度良く送られるようになって、田植機の植付性能を向上させることができた。
　請求項１及び２の特徴によると、「従来の技術」において備えられていた駆動部材と操作アームとの間に介在する連係部材が不要になるので、縦送り機構において連係部材の分だけ部品点数を減らすことができ、縦送り機構の構造及び生産工程の簡素化を図ることができた。
　【００２０】
　請求項１及び２の特徴によると、ワイヤのインナーワイヤ及び付勢部材により縦送り機構の操作アームの待機位置を決めるように構成した場合、比較的伸び易いワイヤのインナーワイヤの長さを短いものとして、ワイヤのインナーワイヤの全体としての伸び量を小さなものに抑えることができるので、操作アームの待機位置を精度良く設定することができるようになり、縦送り機構により苗が苗取り出し口側に安定して送られるようになって、田植機の植付性能をさらに向上させることができた。
　【００２１】
　
請求項１及び２
　【００２２】
　請求項
３
１又は２の
１又は２
　請求項
３
　請求項
３
を苗載せ台に
　【００２３】
　【実施例】
　以下、本発明の実施例を図面に基づいて説明する。
　図１に示すように本機（図示せず）の後端に設けられた四連リンク機構１に、本機から動力の伝達を受けるフィードケース２を連結し、フィードケース２の下端に横向きフレーム３を架設して、横向きフレーム３から後方に向けて複数個の植付伝動ケース４を延出している。植付伝動ケース４の前端部に亘り横向きフレーム３と平行に伝動軸を架設して、植付伝動ケース４への伝動構造を構成し、植付伝動ケース４の後端部に苗植付機構５、植付伝動ケース４の上方に苗植付機構５の植付作動に連動して左右に一定ストロークで往復横移動する苗載せ台６を設けて、乗用型の田植機に搭載される苗植付装置を構成している。
　【００２４】
　次に、苗載せ台６の往復横移動の構造について説明する。図２及び図３に示すように、苗載せ台６の背面側に全幅に亘って横向きの補強フレーム７（固定部及び補強部材に相当）を掛け渡して、組立状態の苗載せ台６を補強している。植付条毎にマット状の苗Ｗを区画する側壁６Ａを苗載せ台６に設けて、側壁６Ａにより苗載せ台６を植付条毎の苗載せ台部分に分割しており、補強フレーム７で組立状態の苗載せ台６を補強している。
　【００２５】
　図２及び図３に示すように、後述する縦送り装置８が囲む内部空間（後述するベルト１６（苗送りベルトに相当）の巻回経路）を貫通する補強フレーム７から前方側に第１ブラケット９を延出し、第１ブラケット９に苗載せ台６の横送り機構Ａを連結している。図２及び図３に示すように、フィードケース２から螺旋軸１０を横向きに延出して、螺旋軸１０に外嵌されて螺旋軸１０の軸芯方向に横移動する移動体１１を設け、移動体１１に螺旋軸１０の螺旋溝に咬合するコマ部材１２を内装して、螺旋軸１０の回転によりコマ部材１２と一体で移動体１１が横移動するように構成しており、移動体１１と第１ブラケット９とを連結部材１３を介して連結している。
　以上の構成により、フィードケース２の駆動機構（図示せず）により螺旋軸１０を回転させて、移動体１１を一定ストロークで往復横移動させ、苗載せ台６を左右に一定ストロークで往復横移動させる。
　【００２６】
　次に、縦送り装置８について説明する。図２，３，４に示すように、下方に位置する駆動プーリ１４と上方に位置する従動プーリ１５とに亘って、突起付きのベルト１６を巻回して苗送りベルト機構８ａ（縦送り機構に相当）を構成しており、苗送りベルト機構８ａを植付条毎に２つ並設している。駆動プーリ１４に一方向クラッチ２０を介して連動する操作アーム１７を備えて、苗送りベルト機構８ａが苗Ｗを下方に送る下降方向では、駆動プーリ１４と操作アーム１７とが一体回動し、反下降方向では駆動プーリ１４と操作アーム１７との連動状態が絶たれるように一方向クラッチ２０を構成しており、苗送りベルト機構８ａの反下降方向側に操作アーム１７を付勢するつる巻きバネ２３（付勢部材に相当）を設けている。
　【００２７】
　これにより、フィードケース２から突出して常時回転する回転軸１８に備えられた駆動アーム１９（駆動部材に相当）の回転軌跡と、操作アーム１７の回動軌跡とが、苗載せ台６の往復横移動のストロークエンドで一致して、図３に示すように駆動アーム１９が操作アーム１７を待機位置Ｔから上側の送り位置Ｓまで移動操作することにより、苗送りベルト機構８ａが苗Ｗを苗取り出し口ａ側に送るように構成している。
　【００２８】
　図３に示すように、つる巻きバネ２３の付勢により操作アーム１７の待機位置Ｔを設定する調節レバー２５を設け、調節レバー２５と操作アーム１７とをボーデンケーブル構造のワイヤ２１で連動連結している。ワイヤ２１におけるアウターワイヤ２１Ｕの操作アーム１７側の端部を、苗載せ台６の支持部材２２に対してワイヤ２１の軸芯方向に所定範囲で相対移動自在に連結して、アウタ受け部ｂを構成しており、受け板２４が固定された補強フレーム７に支持部材２２を取り付けている。ワイヤ２１のインナーワイヤ２１Ｉを操作アーム１７に直接に接続しており、インナーワイヤ２１Ｉを操作アーム１７から上方の支持部材２２側（操作アーム１７の上側の送り位置Ｓ側）に延出している。
　【００２９】
　図３に示すように、アウターワイヤ２１Ｕが調節レバー５側に向けて付勢されるように、アウターワイヤ２１Ｕの操作アーム１７側の端部の筒部分を、抜けないように支持部材２２に支持して、アウターワイヤ２１Ｕのつば部２１ｔと支持部材２２との間に、圧縮型の巻きバネ２６を設けている。巻きバネ２６によってアウターワイヤ２１Ｕに作用する付勢力を、つる巻きバネ２３によって操作アーム１７に接続されたインナーワイヤ２１１に作用する付勢力よりも大に設定しており、つる巻きバネ２３による操作アーム１７の待機位置Ｔへの付勢力によって、巻きバネ２６が圧縮変形しないようにしている。
　【００３０】
　以上の構成により、苗植付機構５の苗取り量を多くする場合には、調節レバー２５を多側に操作してインナーワイヤ２１Ｉを操作アーム１７側に戻し操作し、操作アーム１７の待機位置Ｔを下側に変更する。このように操作アーム１７の待機位置Ｔを上側の送り位置Ｓから下方に離間させると、駆動アーム１９により操作アーム１７が待機位置Ｔから上側の送り位置Ｓに移動操作される際のストロークが大きくなって、苗送りベルト機構８ａの苗送り量が大きくなる。
　【００３１】
　逆に苗植付機構５の苗取り量を少なくする場合には、図４に示すように調節レバー２５を少側に操作して、インナーワイヤ２１Ｉを調節レバー２５側に引き操作し、操作アーム１７の待機位置Ｔを上側の待機位置ｔに変更する。このように操作アーム１７の待機位置Ｔを上側の送り位置Ｓに接近した待機位置ｔに変更すると、駆動アーム１９により操作アーム１７が待機位置ｔから上側の送り位置Ｓに移動操作される際のストロークが小さくなって、苗送りベルト機構８ａの苗送り量が小さくなる。
　【００３２】
　この場合、待機位置Ｔから待機位置ｔへの操作アーム１７の移動によって、苗送りベルト機構８ａが作動し、苗Ｗが苗取り出し口ａ側に送られて苗載せ台６の下端のガイドレール２７に押し付けられるようになるが、この状態を巻きバネ２６の圧縮変形によるアウターワイヤ２１Ｕの変位によって吸収できるので、調節レバー２５の操作が重くなるとか、ガイドレール２７への押し付けによって苗Ｗが崩れると言った不都合は生じない。この状態において前述の理由により、操作アーム１７の待機位置Ｔが待機位置ｔに直ちに移動しないことがあるが、その後の苗送りベルト機構８ａの作動によって巻きバネ２６が元の状態に戻り、直ぐに操作アーム１７の待機位置Ｔが待機位置ｔに移動する。
　【００３３】
　図１に示すように変更レバー（図示せず）、変更アーム２９、ガイドレール２７にボルト止めされたブラケット３０により、苗載せ台６に載置された苗Ｗの下端位置を変えて苗取り量を変更する変更機構Ｂが構成されている。図５に示すようにブラケット３０は、正面視横倒れＪ字形状の屈曲板３０ａに支持棒３０ｂをを２箇所で固定して構成されており、屈曲板３０ａで形成された空間部３０ｃに変更アーム２９の先端部を入り込ませている。
　【００３４】
　尚、特許請求の範囲の項に図面との対照を便利にするために符号を記すが、該記入により本発明は添付図面の構成に限定されるものではない。
【図面の簡単な説明】
　【図１】
　苗植付装置の全体側面図
　【図２】
　苗載せ台と横送り機構との連結状態を示す横断面図
　【図３】
　縦送り装置付近の構造を示す側面図
　【図４】
　縦送り装置の下部付近の構造を示す側面図
　【図５】
　苗取り量の調節用のブラケットの斜視図
　【符号の説明】
　６　　　　苗載せ台
　７　　　　苗載せ台の固定部、補強部材
　８ａ　　　縦送り機構
　１６　　　苗送りベルト
　１７　　　操作アーム
　１９　　　駆動部材
　２１　　　ワイヤ
　２１Ｉ　　ワイヤのインナーワイヤ
　２１Ｕ　　ワイヤのアウターワイヤ
　２３　　　付勢部材
　２５　　　苗取り量の調節レバー
　ａ　　　　苗取り出し口
　Ｔ，ｔ　　待機位置
　Ｓ　　　　上側の送り位置
　Ｗ　　　　苗